(57)【特許請求の範囲】
【請求項１】
ベース板とカバー板との間にシャッタ羽根を回動自在に軸着し、シャッタレリーズ操作に応動して駆動される駆動レバーによって前記シャッタ羽根に固定された蹴飛ばし部材を蹴飛ばして前記シャッタ羽根を開閉するようにしたシャッタ装置において、
前記ベース板と前記カバー板との間に形成される隙間を少なくともその上方で覆う覆い部材を前記ベース板または前記カバー板に設けるとともに、前記シャッタ羽根の回動中心軸を中心とする回動軸を前記シャッタ羽根または前記蹴飛ばし部材に設け、この回動軸の外周を軸受けする開口をカバー板に形成し、前記蹴飛ばし部材と前記シャッタ羽根とを前記回動軸を介して固定したことを特徴とするシャッタ装置。
【請求項２】
前記回動軸は前記シャッタ羽根に一体形成され、前記蹴飛ばし部材は前記回動軸の端面に突設したキー部に固定されていることを特徴とする請求項１記載のシャッタ装置。
【発明の詳細な説明】
【０００１】
【発明の属する技術分野】
本発明は、レンズ付きフイルムユニットやカメラに利用可能なシャッタ装置に関するものである。
【０００２】
【従来の技術】
予め新品のフイルムカートリッジとが製造時に装填され、面倒なフイルム装填と巻き戻し操作を不用にしたレンズ付きフイルムユニットとしては、例えば「写ルンですＳｕｐｅｒ  Ｓｌｉｍ（商品名）」等が本出願人より製造販売されている。
【０００３】
レンズ付きフイルムユニットは、フイルムをロール形態で収納するフイルムロール室と撮影済みのフイルムを巻き取り収納するカートリッジが収納されるカートリッジ室との間に設けた遮光筒に、簡単な構成のシャッタ装置やフイルム巻き止め装置を備えた露光ユニットを組み込んで構成している。
【０００４】
前記シャッタ装置は、撮影レンズが取り付けられたレンズホルダと、撮影光路を遮断する閉じ位置と撮影光路を開放する開き位置との間で回動自在なシャッタ羽根と、レンズホルダとの間でシャッタ羽根を保持するベース部材とから構成されている。シャッタ羽根には一体に蹴飛ばし部材が設けられている。この蹴飛ばし部材は、レンズホルダとベース部材との間にできた上部隙間から突出されており、これが、シャッタレリーズ操作に応動してシャッタ駆動レバーで蹴飛ばされて、シャッタ羽根を回動させる。
【０００５】
【発明が解決しようとする課題】
レンズ付きフイルムユニットはローコスト化のため、シャッタボタンを前カバーの上部を切り欠いて形成している。そのため、前カバーの切り欠きから細かい砂がユニット本体内に入ることがあった。レンズホルダはベース部材の前面側を全体的に覆うような形状になっているが、ベース部材とレンズホルダとの間から蹴飛ばし部材を突出させる上部隙間からベース部材とレンズホルダとの間に入り込んで、レンズ付きフイルムユニットを使い切る前にシャッタ羽根の回動動作が不調になったり、砂がシャッタ開口から遮光筒内に入ってフイルムを傷つけたりする場合があった。
【０００６】
本発明は、上記問題点を解決するためのもので、塵や埃等の侵入を防止したシャッタ装置を提供することを目的とする。
【０００７】
【課題を解決するための手段】
上記問題点を解決するために、請求項１記載の発明では、ベース板とカバー板との間に形成される隙間を少なくともその上方で覆う覆い部材をベース板またはカバー板に設けるとともに、シャッタ羽根の回動中心軸を中心とする回動軸をシャッタ羽根または蹴飛ばし部材に設け、この回動軸の外周を軸受けする開口をカバー板に形成し、蹴飛ばし部材とシャッタ羽根とを回動軸を介して固定したものである。また、請求項２記載の発明では、回動軸はシャッタ羽根に一体形成され、蹴飛ばし部材は回動軸の端面に突設したキー部に固定されているものである。
【０００８】
【発明の実施の形態】
以下に本発明の実施形態を説明する。図４に示すように、レンズ付きフイルムユニット２は、予めフイルムカートリッジが装填され各種撮影機構が組み込まれたユニット本体３と、このユニット本体３を部分的に覆うラベル４とから構成されている。ユニット本体３には、前面にレリーズボタン６，カウンタ窓７等を設けており、前面にストロボ発光部５，ファインダ８，撮影レンズ９，ストロボ充電スイッチ１０等を設けている。ユニット本体３の背面側に、１コマの撮影毎に回動操作される巻き上げノブ１１を露呈している。
【０００９】
ユニット本体３の分解斜視図を示す図３において、本体基部１３には、撮影レンズ９からフイルム７１までの間の撮影光路３７を遮光する遮光筒２１を一体に設けている。遮光筒２１を挟む両側に設けたカートリッジ室１９とフイルムロール室２０には、カートリッジ７０とこれから引き出してロール形態にしたフイルム７１を収納している。巻上げノブ１１は回動自在にカートリッジ室１９の上部に組み付けられ、その軸がカートリッジ７０のスプール７２に係合している。
【００１０】
露光ユニット１４は、撮影レンズ９やシャッタ機構，フイルム巻き上げ機構等を備えており、遮光筒２１の前側に着脱自在に組み付けている。ストロボユニット１５を構成する回路基板２３には、２つの金属片からなるシンクロスイッチ２３ａを含むストロボ回路が形成されている。回路擬板２３は、ストロボ発光部５や電源用の電池２４等が組み込まれてオリ、本体基部１３の前面のフイルムロール室２０側に組み付けられる。
【００１１】
前カバー１７は、本体基部１３の前面側を覆うように組み付けている。前カバー１７の上面を前面には、前カバー１７の表面を一部切り欠いてレリーズボタン６とストロボ充電スイッチ１０とが一体に形成されている。後カバー１６は、カートリッジ室１９及びフイルムロール室２０を覆うように本体基部１３の背面側に組み付けている。後カバー１６に一体に設けた底蓋２５，２６で、カートリッジ室１９とフイルムロール室２０の底部開口を覆っている。
【００１２】
図１に示すように、露光ユニット１４は、プラスチックで一体に形成されたベース板２９に後述する各部品を組み付けて、１ユニット化して構成している。露光ユニット１４は、シャッタチャージ機構，シャッタ駆動機構，カウンタ機構，フイルム巻止め機構の他、対物レンズ３０からなるファインダ装置等を備えている。本図はベース板２９，シャッタ羽根４０，バネ４５，カバー板２８，蹴飛ばし部材４７に分解した場合を示している。
【００１３】
ベース板２９の上部に一体に設けた複数本の軸には、シャッタ駆動レバー３２，カウンタ板３３，係止レバー３５，カム部材３６が回動自在に組み付けられている。カム部材３６の下端部には、ベース板２９の背面側において従動スプロケット３４が係合されている。従動スプロケット３４は、フイルム７１のパーフォレーションに噛合されており、フイルム７１の１コマ分がカートリッジ７０内に巻き上げられる際に従動回転する。また、カム部材３６も同様に図中反時計方向に半回転され、カウンタ板３３を時計方向に１目盛り分回動させる。
【００１４】
シャッタ駆動レバー３２と係止レバー３５とは、それぞれ別々のバネによって図中反時計方向と時計方向とに付勢されている。シャッタ駆動レバー３２はカム部材３６の回転によって、バネの付勢に抗してチャージ位置側である図中時計方向に回動される。係止レバー３５は、カム部材３６が回転すると僅かに時計方向に回動し、シャッタ駆動レバー３２をチャージ位置で係止して保持する。また、この際の係止レバー３５は、カム部材３６と巻上げノブ１１とに係合して回転を阻止し、フイルム巻き止めを行う。レリーズボタン６が押圧されると、レリーズボタン６と一体に形成されたレバーが係止レバー３５をバネ３４の付勢に抗して図中反時計方向に回動させる。これにより、シャッタ駆動レバー３２はチャージ位置での保持が解除され、バネ３４の付勢によって反時計方向に回動する。
【００１５】
カバー板２８はベース板２９の前面を覆うように組み込まれている。ベース板２９にはシャッタ開口３８が形成されており、この斜め上方には撮影光路３７に沿ってピン３９が突設されている。シャッタ羽根４０には、シャッタ羽根４０の回動中心軸４０ａを含み、ピン３９に軸着される係合軸４８と、シャッタ開口３８を開閉するための開閉部４２とが設けられている。
【００１６】
カバー板２８には、係合軸４１を露呈させる開口２８ｃが撮影レンズ９の斜め上方に形成されている。図２にも示すように、シャッタ羽根４０の係合軸４８は開口２８ｃに差し込まれ、ベース板２９との間にシャッタ羽根４０が回動自在に軸着されている。開口２８ｃは係合軸４８の外周を軸受けする軸受穴となっている。
【００１７】
カバー板２８には、ベース板２９との間にできた隙間３１を覆う覆い部材２８ａが一体に形成されている。覆い部材２８ａは、カバー板２８とベース板２９との間にできた隙間３１を囲むように形成されているので、隙間３１への塵や埃の侵入が防止されている。
【００１８】
蹴飛ばし部材４７は、覆い部材２８ａによりカバー板２８とベース板２９との間で覆われたシャッタ羽根４０を外部から回動するためのものである。蹴飛ばし部材４７に設けたキー溝４７ｃが、開口２８ｃから露呈された係合軸４８の端面に突設したキー部４８ａに固定されいる。蹴飛ばし部材４７はシャッタ羽根４０と一体に回動されるようになっている。
【００１９】
係合軸４８の側方に一体に設けたピン４４には金属製のコイルバネ４５の一端が掛けられ、コイルバネ４５の他端はベース板２９の前面に突設されたピン４６に掛けられている。そして、シャッタ羽根４０はシャッタ開口３８を閉じる方向である図中反時計方向に付勢されている。
【００２０】
シャッタレリーズ操作に応動して係止レバー３５による保持が解除され、シャッタ駆動レバー３２が図中反時計方向に回動されると、シャッタ駆動レバー３２に一体に設けられた蹴飛ばしレバー４９により、蹴飛ばし部材４７に一体に設けられたシャッタ駆動用の突起４７ａが蹴飛ばされる。シャッタ羽根４０は蹴飛ばし部材４７と一体にコイルバネ４５の付勢に抗して時計方向に回動して、シャッタ開口３８を開放する。
【００２１】
このシャッタ羽根４０の回動により、蹴飛ばし部材４７に一体に設けられたシンクロスイッチ短絡用の突起４７ｂが、回路基板２３のシンクロスイッチ２３ａに接触して金属片を短絡させる。その際に、予めストロボ充電スイッチ１０が押されて充電が完了した状態であればストロボ発光部５からストロボ光が放出される。蹴飛ばしレバー４９に蹴飛ばされて時計方向に回動したシャッタ羽根４０は、コイルバネ４５の付勢によって再び反時計方向に回動されてシャッタ開口３８を閉じる。
【００２２】
上記露光ユニット１４では、カバー板２８に一体に設けた覆い部材２８ａで、カバー板２８とベース板２９との間にできた隙間３１を一周して囲むように覆っているので、レリーズボタン６やストロボ充電スイッチ１０等を設けるために前カバー１７に設けた切欠から、レンズ付きフイルムユニット２の内部に細かい砂が入ってきた場合にも、シャッタ装置への侵入は防止される。これにより、砂浜等での使用において、砂によってシャッタ羽根４０の回動動作が阻害されたり、砂がシャッタ開口３８から遮光筒２１内に侵入してフイルム７５に付着する等の不都合が未然に防止される。
【００２３】
上記実施形態では、カバー板に設けた開口からシャッタ羽根の係合軸を露呈させ、この係合軸の端面に突設したキー部に蹴飛ばし部材を固定しているが、前述した開口を通して露呈したシャッタ羽根の回転中心軸を含むシャッタ羽根の一部に蹴飛ばし部材を固定するものであれば、上記実施形態に限られない。例えば、蹴飛ばし部材に係合軸を設けて、開口から露呈したシャッタ羽根の回転中心軸を含むシャッタ羽根の一部に固定するようにしてもよい。
【００２４】
また、カバー板に撮影レンズを取り付けているが、撮影レンズを別部品に取り付けて、これをカバー板やベース板に組み込むのも可能である。カバー板に覆い部材を一体に設けているが、ベース板に覆い部材を一体に設けたり、カバー板とベース板の両方に覆い部材を設けてもよい。また、隙間を囲むように覆い部材を形成しているが、少なくとも覆い部材で隙間の上方で覆うようにしたものであれば上記実施形態に限られない。
【００２５】
また、前述したような各種シャッタ装置を１ユニット化して、遮光筒の前面に着脱自在に設けるようにしてもよい。また、一体成形品でカバー板とベース板とを構成したり、ベース部品をカバー板やベース板とは別部品で構成して、カバー板やベース板に取り付ける構成にしてもよい。
【００２６】
以上、本発明の実施形態としてレンズ付きフイルムユニットのシャッタ装置に用いる場合について説明したが、カメラのシャッタ装置にも適用することができる。
【００２７】
【発明の効果】
以上のように、本発明のシャッタ装置によれば、ベース板とカバー板との間に形成される隙間を少なくともその上方で覆う覆い部材をベース板またはカバー板に設けるとともに、シャッタ羽根の回動中心軸を中心とする回動軸をシャッタ羽根または蹴飛ばし部材に設け、この回動軸の外周を軸受けする開口をカバー板に形成し、蹴飛ばし部材とシャッタ羽根とを回動軸を介して固定したので、シャッタ装置の密閉構造が可能となり、シャッタ装置内に細かい砂や埃等が侵入するのを防止することができる。細かい砂や埃等が多い悪条件下での使用されるカメラやレンズ付きフイルムユニットに最適なシャッタ装置を提供することができる。
【図面の簡単な説明】
【図１】露光ユニットの分解斜視図である。
【図２】露光ユニットの要部説明図である。
【図３】図４に示すユニット本体の分解斜視図である。
【図４】レンズ付きフイルムユニットの外観斜視図である。
【符号の説明】
２  レンズ付きフイルムユニット
３  ユニット本体
９  撮影レンズ
２８  カバー板
２８ａ  覆い部材
２９  ベース板
４０  シャッタ羽根
４７  蹴飛ばし部材
４９  蹴飛ばしレバー
【図１】
0003802961.tif 000002
【図２】
0003802961.tif 000003
【図３】
0003802961.tif 000004
【図４】
0003802961.tif 000005